(57)【要約】【課題】  用具類の余分な戻しや、または用具類の戻し忘れを簡便に防止することができる秤機能付き用具台を提供する。【解決手段】  秤機能付き用具台であって、開始スイッチ２と、終了スイッチ３と、用具類の総合重量判定部６と、用具類の総合重量表示部７と、用具類の余分な戻しや用具類の戻し忘れを確認する用具類の総合重量確認表示部８と、報知装置９とを備えた秤装置１と、工具類載置装置１１とを具備する。【選択図】  図１
2014108484.tif 000002
【特許請求の範囲】
【請求項１】
開始スイッチと、終了スイッチと、用具類の総合重量判定部と、総合重量表示部と、用具類の余分な戻しや用具類の戻し忘れを確認する総合重量確認表示部と、報知装置とを備えた秤装置と、用具類載置装置とを具備することを特徴とする秤機能付き用具台。
【請求項２】
請求項１記載の秤機能付き用具台において、前記用具類の総合重量判定部において、作業前の用具類の総合重量と作業後の用具類の総合重量とが一致する場合に、前記工具載置装置に予定された工具類が戻されたと判断することを特徴とする秤機能付き用具台。
【請求項３】
請求項１記載の秤機能付き用具台において、前記用具類の総合重量判定部において、作業前の用具類の総合重量と作業後の用具類の総合重量とが一致しない場合に、前記工具類載置装置に予定された工具類が戻されていないと判断することを特徴とする秤機能付き用具台。
【請求項４】
請求項３記載の秤機能付き用具台において、前記用具類の総合重量判定部において作業前の用具類の総合重量に対して作業後の用具類の総合重量が大きい場合には、用具類の余分な戻しが行われていると判断することを特徴とする秤機能付き用具台。
【請求項５】
請求項３記載の秤機能付き用具台において、前記用具類の総合重量判定部において作業前の用具類の総合重量に対して作業後の用具類の総合重量が少ない場合には、用具類の戻し忘れが行われていると判断することを特徴とする秤機能付き用具台。
【請求項６】
請求項３記載の秤機能付き用具台において、前記用具が作業用の工具類であることを特徴とする秤機能付き用具台。
【請求項７】
請求項１記載の秤機能付き用具台において、前記用具が医療用の用具類であることを特徴とする秤機能付き用具台。
【発明の詳細な説明】
【技術分野】
【０００１】
本発明は、工具類などの置き忘れ防止に関する秤機能付き用具台に関するものである。
【背景技術】
【０００２】
従来、様々な産業分野で、工具類の置き忘れを防止するためにチェックリストの使用や、各工具類の位置を規定したような専用の工具箱を用意して一目で工具類がそろっているかが分かるような工夫や、各用具を収納する用具棚を決め、作業後に全ての用具類が返却されているかが一目でわかるような工夫がなされている（下記特許文献１参照）。
【先行技術文献】
【特許文献】
【０００３】
【特許文献１】特開２００６−３１５１４６号公報
【発明の概要】
【発明が解決しようとする課題】
【０００４】
しかしながら、作業ごとに必要な工具類の種類はバラバラであることや、特別な工具類をその作業のみで特別に使用する場合には、作業ごとにチェックリストを新たに作成しなくてはならなかった。実際には類似のチェックリストを使いまわすことになり、確認漏れが発生していた。
また、各工具の位置を規定したような専用の工具箱では、多くの専用の用具箱を用意しなければならず、その専用の用具箱の管理が困難であった。また、用具棚へ返却確認では返却漏れの発見が遅れることもあった。
【０００５】
本発明は、上記状況に鑑みて、用具類の余分な戻しや用具類の戻し忘れを簡便に防止することができる秤機能付き用具台を提供することを目的とする。
【課題を解決するための手段】
【０００６】
本発明は、上記目的を達成するために、
〔１〕秤機能付き用具台であって、開始スイッチと、終了スイッチと、用具類の総合重量判定部と、総合重量表示部と、用具類の余分な戻しや用具類の戻し忘れを確認する総合重量確認表示部と、報知装置とを備えた秤装置と、用具類載置装置とを具備することを特徴とする秤機能付き用具台。
【０００７】
〔２〕上記〔１〕記載の秤機能付き用具台において、前記用具類の総合重量判定部において、作業前の用具類の総合重量と作業後の用具類の総合重量とが一致する場合に、前記工具類載置装置に予定された工具類が戻されたと判断することを特徴とする。
〔３〕上記〔１〕記載の秤機能付き用具台において、前記用具類の総合重量判定部において、作業前の用具類の総合重量と作業後の用具類の総合重量とが一致しない場合に、前記工具類載置装置に予定された工具類が戻されていないと判断することを特徴とする。
【０００８】
〔４〕上記〔３〕記載の秤機能付き用具台において、前記用具類の総合重量判定部において作業前の用具類の総合重量に対して作業後の用具類の総合重量が大きい場合には、用具類の余分な戻しが行われていると判断することを特徴とする。
〔５〕上記〔３〕記載の秤機能付き用具台において、前記用具類の総合重量判定部において作業前の用具類の総合重量に対して作業後の用具類の総合重量が少ない場合には、用具類の戻し忘れが行われていると判断することを特徴とする。
【０００９】
〔６〕上記〔３〕記載の秤機能付き用具台において、前記用具が作業用の工具類であることを特徴とする。
〔７〕上記〔１〕記載の秤機能付き用具台において、前記用具が医療用の用具類であることを特徴とする。
【発明の効果】
【００１０】
本発明によれば、用具類の余分な戻しや用具類の戻し忘れを簡便に防止することができる。
【図面の簡単な説明】
【００１１】
【図１】本発明の実施例を示す秤機能付き工具台を示す斜視図である。
【図２】本発明の実施例を示す秤機能付き工具台に余分な用具が戻されている場合を示す図である。
【図３】本発明の実施例を示す秤機能付き工具台に用具類が不足する場合を示す図である。
【図４】本発明の実施例を示す秤機能付き工具台のシステム構成図である。
【図５】本発明の実施例を示す秤機能付き工具台の操作フローチャートである。
【発明を実施するための形態】
【００１２】
本発明の秤機能付き用具台は、開始ボタンと、終了ボタンと、総合重量表示部と、用具類の余分な戻しまたは用具類の戻し忘れを確認する確認表示部とを備えた秤装置と、報知装置とを備えた秤装置と、用具類載置装置とを具備する。
【実施例】
【００１３】
以下、本発明の実施の形態について詳細に説明する。
図１は本発明の実施例を示す秤機能付き工具台を示す斜視図、図２はその秤機能付き工具台に余分な部材が戻されている場合を示す図、図３はその秤機能付き工具台に工具が不足する場合を示す図、図４はその秤機能付き工具台のシステム構成図、図５は秤機能付き工具台の操作フローチャートである。
【００１４】
これらの図において、１は秤装置、２は開始スイッチ、３は終了スイッチ、４はＣＰＵ、５はメモリ、６は総合重量判定部、７は総合重量表示部、８は総合重量判定表示部、９は報知装置、１１は工具類載置装置、１２は工具類載置装置１１に載置されるスパナ、１３はドライバー、１４はニッパー、１５はハンマーなどの工具類である。
図２及び図４に示すように、工具類載置装置１１に予定された工具類とは余分な工具類である釘１６が載置されていると、総合重量表示部７には予定された総合重量より大きな重量が秤られると、総合重量判定部６により、総合重量判定表示部７には、戻し過ぎである確認表示がなされる。
【００１５】
一方、図３及び図４に示すように、工具類載置装置１１に予定された工具類が見当たらない、例えば、スパナ１２が載置されていないような場合には、総合重量表示部７には予定された総合重量より重量が不足していると表示されるとともに、総合重量判定部６により、総合重量判定表示部８には、工具類の置き忘れ確認表示がなされる。
この秤機能付き工具台の操作方法を図５の操作フローチャートを参照しながら説明する。
【００１６】
（１）工具類載置装置に予定された工具類を載置する（ステップＳ１）。
（２）次に、秤装置の開始スイッチを操作する（ステップＳ２）。
（３）すると、総合重量表示部に工具類の総合重量が表示されてメモリへ記憶される（ステップＳ３）。
（４）作業が終了して工具類載置装置に予定された工類具が戻されると、秤装置の開始ボタンを操作する（ステップＳ４）。
【００１７】
（５）すると、工具類載置装置に予定された工具類が戻され、ステップＳ３で記憶された工具類の総合重量との比較を行う（スイッチＳ５）。
（６）比較の結果、ステップＳ３で記憶された工具類の総合重量と作業後の工具類の総合重量とが一致すると、総合重量判定部により、予定された工具類が戻されたことが総合重量判定表示部で確認される（ステップＳ６）。
【００１８】
（７）すると、報知装置により、「ピン・ポン」と合格の報知がなされる（ステップＳ７）。
（８）もし、図２に示されるように、工具類載置装置に予定された工具類とは余分な工具類である釘などが載置されていると、総合重量表示部にはステップＳ３で記憶された工具類の総合重量とは一致せず、オーバーな重量が表示されるとともに、総合重量判定部により、総合重量表示部には工具類の戻し過ぎであるとの確認表示がなされる（ステップＳ８）。
【００１９】
（９）すると、報知装置により「ブー・ブー」と不合格の報知がなされる（ステップＳ９）。
（１０）また、図３に示されるように、工具類載置装置に予定された工具類が見当たらない、例えば、スパナが載置されていないような場合には、総合重量表示部には予定される工具類の重量が不足していると表示され、総合重量判定部により、総合重量表示部に工具類の置き忘れ確認表示がなされる（ステップＳ１０）。
【００２０】
（１１）すると、報知装置により「ブー・ブー」と不合格の報知がなされる（ステップＳ１１）。
このように、工具類の余分な戻しや工具類の戻し忘れを簡便に防止することができる。
上記実施例では、作業用工具類の管理について述べたが、これらに限定されるものではなく、セットになった医療用、例えば手術用具などの用具に適用することもできる。特に、手術用具の手術前と手術後の用具の管理は手術を受けた人の人命に係わることからして厳格なものであることを考慮すると、本発明の作用効果は著大である。
【００２１】
なお、本発明は上記実施例に限定されるものではなく、本発明の趣旨に基づき種々の変形が可能であり、これらを本発明の範囲から排除するものではない。
【産業上の利用可能性】
【００２２】
本発明の秤機能付き用具台は、用具類の余分な戻しや用具類の戻し忘れを簡便に防止することができる秤機能付き用具台として利用可能である。
【符号の説明】
【００２３】
１    秤装置
２    開始スイッチ
３    終了スイッチ
４    ＣＰＵ
５    メモリ
６    総合重量判定部
７    総合重量表示部
８    総合重量確認表示部
９    報知装置
１１    工具類載置装置
１２    スパナ
１３    ドライバー
１４    ニッパー
１５    ハンマー
１６    釘
【図１】
2014108484.tif 000003
【図２】
2014108484.tif 000004
【図３】
2014108484.tif 000005
【図４】
2014108484.tif 000006
【図５】
2014108484.tif 000007